(57)【特許請求の範囲】
【請求項１】
払い出しケース（２９）と、該払い出しケース（２９）内に回転軸（３０）廻りに回転自在に設けられ且つその正転により上手側の遊技球を下手側へと払い出す回転体（３１）と、該回転体（３１）を駆動する駆動手段（３２）と、前記回転体（３１）から上手側の遊技球を抜き取るための球抜き手段（３３）とを含む球払い出し手段（２４）を備えた弾球遊技機において、前記払い出しケース（２９）の外側近傍に、前記回転軸（３０）の突出端部の従動部材（５８）から離脱した待機位置に保持され、且つ該待機位置から手動操作したときに前記従動部材（５８）を介して前記回転体（３１）を逆転させて該回転体（３１）に残る遊技球を前記球抜き手段（３３）側へと抜き取るための操作手段（３４）を備え、前記操作手段（３４）を前記待機位置へと付勢し且つ遊技球を前記球抜き手段（３３）側へと抜き取った後の前記回転体（３１）を前記従動部材（５８）を介して正転させて前記操作手段（３４）を前記待機位置に戻すための付勢手段（６５）を備えたことを特徴とする弾球遊技機。
【請求項２】
前記操作手段（３４）は前記払い出しケース（２９）の外側近傍に配置され、その操作部（６１）は前記払い出しケース（２９）の一側面と略平行な平面に沿う方向に操作可能であることを特徴とする請求項１に記載の弾球遊技機。
【請求項３】
前記操作手段（３４）は、前記回転軸（３０）の突出端部に固定された歯車（５８）に係脱自在に噛合し且つ該歯車（５８）を介して前記回転軸（３０）を回転操作する操作部材（６０）を備えたことを特徴とする請求項２に記載の弾球遊技機。
【請求項４】
前記操作部材（６０）は端部側に前記操作部（６１）を有し且つ前後方向に往復移動自在であり、該操作部材（６０）を前記待機位置へと付勢する付勢手段（６５）を備えたことを特徴とする請求項３に記載の弾球遊技機。
【請求項５】
前記操作部材（６０）は後方に突出する前記操作部（６１）を有し且つ上下方向に往復移動自在であり、該操作部材（６０）を前記待機位置へと付勢する付勢手段（６５）を備えたことを特徴とする請求項３に記載の弾球遊技機。
【請求項６】
前記操作部材（６０）は前記回転軸（３０）と略平行な横軸（７１）廻りに回動又は揺動自在であり、前記操作部材（６０）を前記待機位置へと付勢する付勢手段（６５）を備えたことを特徴とする請求項３に記載の弾球遊技機。
【発明の詳細な説明】
【技術分野】
【０００１】
本発明は弾球遊技機に関し、その球払い出し手段内の回転体に噛み込み状態で残る遊技球を容易に排出できるようにしたものである。
【背景技術】
【０００２】
弾球遊技機では、遊技機本体の裏側上部に遊技球の貯留タンクを配置し、遊技機本体の裏側に開閉自在に装着された裏機構板の枢着側に、球供給通路を介して貯留タンクに連通する払い出しケースと、払い出しケース内に配置された回転体と、回転体を駆動する駆動手段とを含む球払い出し手段を設け、球貸し指令、賞球払い出し指令があった場合に、球払い出し手段の駆動手段が作動して回転体を駆動し、この回転体の回転により貯留タンク内の遊技球を貸し球、賞球として遊技機本体の前側の球供給皿へと払い出すようにしている。
【０００３】
この種の球払い出し手段では、回転体の上手側に開閉自在な球抜き手段を設け、遊技ホールで球払い出し手段を点検する際、或いは一日の営業を終了する際に、球抜き手段を開放して貯留タンク及び球供給通路にある遊技球を抜き取るようにしている。しかし、スプロケット式、スクリュー式等の回転体を使用する球払い出し手段では、球抜き手段を開放しても、その回転体に噛み込み状態にある遊技球は、その回転体を回転させない限り抜き取ることはできない。
【０００４】
この回転体に噛み込み状態にある遊技球の抜き取り対策として、従来、駆動手段により回転体を駆動するもの（特許文献１）と、回転体の回転軸の一端を払い出しケースの一側方に突出させて、その突出端部に回転操作用摘まみ等の操作部を設けたもの（特許文献２）とがある。
【特許文献１】特開平６−１１４１５２号公報
【特許文献２】特許第３６９０４２５号公報
【発明の開示】
【発明が解決しようとする課題】
【０００５】
従来の駆動手段により回転体を回転させる方式は、駆動手段にステッピングモータ等を使用しているため、遊技球の抜き取り時に通電状態にあることが必須条件であり、抜き取りの自由度が低下する欠点がある。また駆動手段に抜き取り指令を与えて制御しなければならないことから、制御負荷の増大につながるという問題もある。
【０００６】
一方、回転軸の突出端部の操作部を操作する方式は、駆動手段により回転体を回転させる方式の問題点は解消できるものの、払い出しケースの一側方に手を挿入して操作部を直接回転操作するため、払い出しケースの一側に手を挿入し得るだけの十分な空間を確保する必要がある。しかし、近時の弾球遊技機では、遊技盤の遊技領域が拡大し、また遊技盤の裏側に配置された制御基板が大型化する傾向にあるため、払い出しケースの一側に十分な空間を確保し難くなっており、このような状況下では操作部の操作性が極端に低下する欠点がある。
【０００７】
本発明は、このような従来の問題点に鑑み、回転体に残る遊技球の抜き取り作業の自由度を増大できると共に、その抜き取り時の制御負荷を軽減でき、しかも球払い出し手段の側方に空間を確保することなく、必要に応じて容易に遊技球を抜き取ることができ、また通常時には回転体が円滑に回転できる弾球遊技機を提供することを目的とする。
【課題を解決するための手段】
【０００８】
本発明は、払い出しケース２９と、該払い出しケース２９内に回転軸３０廻りに回転自在に設けられ且つその正転により上手側の遊技球を下手側へと払い出す回転体３１と、該回転体３１を駆動する駆動手段３２と、前記回転体３１から上手側の遊技球を抜き取るための球抜き手段３３とを含む球払い出し手段２４を備えた弾球遊技機において、前記払い出しケース２９の外側近傍に、前記回転軸３０の突出端部の従動部材５８から離脱した待機位置に保持され、且つ該待機位置から手動操作したときに前記従動部材５８を介して前記回転体３１を逆転させて該回転体３１に残る遊技球を前記球抜き手段３３側へと抜き取るための操作手段３４を備え、前記操作手段３４を前記待機位置へと付勢し且つ遊技球を前記球抜き手段３３側へと抜き取った後の前記回転体３１を前記従動部材５８を介して正転させて前記操作手段３４を前記待機位置に戻すための付勢手段６５を備えたものである。
【０００９】
前記操作手段３４は前記払い出しケース２９の外側近傍に配置され、その前記操作部６１は前記払い出しケース２９の一側面と略平行な平面に沿う方向に操作可能である。前記操作手段３４は、前記回転軸３０の突出端部に固定された歯車５８に係脱自在に噛合し且つ該歯車５８を介して前記回転軸３０を回転操作する操作部材６０を備えたものでもよい。
【００１０】
前記操作部材６０は端部側に操作部６１を有し且つ前後方向に往復移動自在であり、該操作部材６０を前記待機位置へと付勢する付勢手段６５を備えたものでもよい。
【００１１】
前記操作部材６０は後方に突出する操作部６１を有し且つ上下方向に往復移動自在であり、該操作部材６０を前記待機位置へと付勢する付勢手段６５を備えたものでもよい。前記操作部材６０は前記回転軸３０と略平行な横軸７１廻りに回動又は揺動自在であり、前記操作部材６０を前記待機位置へと付勢する付勢手段６５を備えたものでもよい。
【発明の効果】
【００１２】
本発明では、回転体３１に残る遊技球の抜き取り作業の自由度を増大できると共に、その抜き取り時の制御負荷を軽減でき、しかも球払い出し手段２４の側方に空間を確保することなく、必要に応じて容易に遊技球を抜き取ることができ、また通常時には回転体３１が円滑に回転できる
【発明を実施するための最良の形態】
【００１３】
以下、本発明の各実施例を図面に基づいて詳述する。図１〜図７は本発明をパチンコ機に具現化した第１の実施例を例示している。図１及び図２において、１は遊技機本体で、矩形枠状の外枠２と、この外枠２の前側に上下一対のヒンジ３を介して開閉自在に装着された前枠４とを備えている。
【００１４】
前枠４には、その裏側の遊技盤装着枠５を介して遊技盤６が裏側から着脱自在に装着され、また遊技盤６の前側にガラス扉７と前面板８とが上下に隣接して開閉自在に配置されている。前面板８には、発射用の遊技球を貯留する上皿（球供給皿）９が装着されている。また前枠４の下部には、余剰球を貯留する下皿１０と、発射手段１１の発射ハンドル１１ａとが夫々設けられている。
【００１５】
前枠４の裏側には、裏機構板１２が遊技盤装着枠５に対して上下一対のヒンジ３により開閉自在に枢着され、この裏機構板１２により遊技盤装着枠５内の遊技盤６が裏側から押圧されて着脱自在に固定されている。裏機構板１２は、閉状態では遊技盤装着枠５に複数個の締結手段により締結されている。
【００１６】
遊技盤６には、その前面側に発射手段１１によって発射された遊技球を案内するガイドレール１３が環状に装着されると共に、そのガイドレール１３内の遊技領域１４の上部側に、特別図柄、演出画像等を表示する液晶表示手段１５が裏側から装着され、また液晶表示手段１５の下側に特別図柄始動手段１６、大入賞手段１７、普通入賞手段１８、その他の遊技部品が配置されている。遊技盤６の裏側には、液晶表示手段１５、特別図柄始動手段１６、大入賞手段１７等の遊技部品を裏側から覆う裏カバー１９が装着されている。
【００１７】
裏カバー１９の裏側には、主に遊技盤６側の遊技動作を制御する主制御手段２０と、遊技状態に応じて液晶表示手段１５、表示ランプ等による演出を制御する演出制御手段２１とが装着されている。また裏機構板１２の裏側には、裏カバー１９の上側に遊技球を貯留する貯留タンク２２と、この貯留タンク２２に連通する球供給通路２３とが、裏カバー１９の一側近傍のヒンジ３側に球払い出し手段２４と中継基板２５とが、裏カバー１９の下側に電源基板２６と球払い出し手段２４を制御する払い出し制御手段２７とが夫々装着されている。払い出し制御手段２７は、主制御手段２０からの賞球払い出し指令、球貸し機からの球貸し指令があったときに、その指令を解析して球払い出し手段２４を制御するためのものである。
【００１８】
貯留タンク２２は、島側の遊技球補給装置から供給される遊技球を貯留するためのもので、例えば左右方向の一端側でその下側に配置された球供給通路２３に連通している。球供給通路２３は、貯留タンク２２の遊技球を球払い出し手段２４へと供給するためのもので、貯留タンク２２側から球払い出し手段２４側に向けて徐々に低くなるように緩やかに傾斜しており、遊技球がその自重によって球払い出し手段２４側へと自然に流下するようになっている。なお、球供給通路２３は、並行する前後二列の横通路に区画されており、それら二列の横通路の最下流部分は球払い出し手段２４の左右の球案内通路２８に夫々連通している。
【００１９】
球払い出し手段２４は、賞球払い出し指令、球貸し指令があったときに、貯留タンク２２からの遊技球を賞球、貸し球として払い出すためのものであり、裏カバー１９の一側近傍に上下方向に配置されている。この球払い出し手段２４は、図３〜図６に示すように、裏機構板１２に上下方向に配置された払い出しケース２９と、この払い出しケース２９内に左右方向の回転軸３０を介して回転自在に支持された回転体３１と、回転体３１を駆動する駆動モータ（駆動源）３２とを備え、球供給通路２３側から払い出しケース２９内に供給された遊技球を回転体３１の回転により払い出すようになっている。また球払い出し手段２４には、回転体３１から上手側の遊技球を抜き取る球抜き手段３３と、回転体３１に噛み込み状態の遊技球を抜き取り操作する操作手段３４とを備えている。
【００２０】
払い出しケース２９は縦長の略矩形箱状で、その内部は中間の隔壁３５によって左右二列に区画され、その各列には上手側の球案内通路２８と、下手側の球払い出し通路３６と、その両通路２８，３６間の繰り出し室３７と、球案内通路２８の下方の球抜き通路３８とが設けられている。球案内通路２８は球供給通路２３に、球払い出し通路３６は図外の通路を介して上皿９に、球抜き通路３８は図外の回収通路を介して機外の回収手段へと夫々連通している。なお、球払い出し通路３６には、払い出された遊技球を検出する検出スイッチ３９が設けられている。
【００２１】
各繰り出し室３７は上壁４０と下壁４１とにより上下両側から囲まれており、左右の繰り出し室３７に跨がって回転体３１が配置されている。回転体３１は球供給通路２３からの遊技球を球払い出し通路３６へと遊技球を繰り出すためのもので、隔壁３５の開口３５ａを左右に貫通しており、その外周に各繰り出し室３７に対応して複数個の繰り出し凹部４２が形成されている。繰り出し凹部４２は回転体３１の回転時に球案内通路２８側の遊技球が入る大きさであって、回転体３１の周方向に等間隔を置いて設けられている。なお、回転体３１の繰り出し凹部４２は両繰り出し室３７の周方向に半ピッチずれている。
【００２２】
回転軸３０は払い出しケース２９の左右両側の側壁４３，４４を貫通して左右方向に配置され、その一端側が払い出しケース２９の側壁４３に回転自在に支持され、他端側が払い出しケース２９の裏カバー１９と反対側で駆動モータ３２に連結されている。駆動モータ３２はステッピングモータ等により構成され、裏カバー１９と反対側で払い出しケース２９の外側に装着されている。
【００２３】
球抜き手段３３は回転体３１から上手側の貯留タンク２２、球供給通路２３、球案内通路２８内の遊技球を球抜き通路２８を経て回収通路へと抜き取るためのもので、球案内通路２８の下部側に設けられている。この球抜き手段３３は図４〜図６に示すように、球案内通路２８の下部側の球抜き孔４５を開閉する開閉板４６を有し、その開閉板４６は通常時にはバネ（付勢手段）４７よってロック位置（図５の仮想線位置）に付勢された開閉操作用の操作レバー４８により閉状態にロックされている。
【００２４】
開閉板４６は閉状態のときに遊技球を回転体３１側へと案内するように円弧状に構成されており、上端側が回転軸３０と略平行に払い出しケース２９に挿通された横軸４９により開閉方向に回動自在に枢支され、その下端側の一側に突起５０が設けられている。突起５０は払い出しケース２９の裏カバー１９と反対側の側壁４４に形成された長孔５２を貫通して外側に突出している。なお、開閉板４６は横軸４９の後部側の重錘５３により閉方向に付勢されている。
【００２５】
操作レバー４８は開閉板４６よりも下側後方において、払い出しケース２９の裏カバー１９と反対側の側壁４４に沿ってその近傍に上下方向に配置され、上端側が払い出しケース２９に固定された横軸５４により回動自在に枢支されている。操作レバー４８はその上端部から前側に突出する突出部５５に開閉板４６の突起５０に係脱自在に係合して開閉板４６を閉位置でロックするロック用係合部５５ａと、開位置に保持する開用係合部５５ｂとが設けられ、また下端部から払い出しケース２９と反対側に突出して後方側から手動操作可能な操作部５６が設けられている。
【００２６】
そして、操作レバー４８は、通常はバネ４７により付勢されて、ロック用係合部５５ａが突起５０に後側から係合するロック位置で払い出しケース２９側のストッパー５７に当接しており、このロック位置からバネ４７に抗して操作部５６を回動操作したときに、ロック用係合部５５ａが突起５０から外れて開閉板４６のロックを解除可能である。
【００２７】
操作手段３４は球払い出し手段２４の外部で回転軸３０よりも後方側での手動操作により回転体３１を回転させて、回転体３１の繰り出し凹部４２内に噛み込み状態の遊技球を球抜き手段３３側へと抜き取るためのもので、操作レバー４８と反対側で払い出しケース２９の一側近傍に近接して配置され、待機位置（図４の実線位置）では回転体３１側から離脱するように構成されている。
【００２８】
この操作手段３４は図３〜図６に示すように、回転軸３０の突出端部に設けられた歯車（従動部材）５８に係脱自在に係合し、歯車５８を介して回転体３１を回転操作する操作部材６０を備え、この操作部材６０は払い出しケース２９の一側面と略平行な平面に沿う方向に操作可能な操作部６１をその後端に有する。歯車５８はピニオン歯車等により構成されている。
【００２９】
操作部材６０は回転軸３０の上側で前後方向に摺動自在に配置された可動ラック６２により構成されており、歯車５８と噛合可能な噛合部６２ａが下面側に設けられている。可動ラック６２には前後方向の長孔６２ｃが形成され、また後方に突出する軸部６２ｂの後端に操作部６１が設けられている。そして、可動ラック６２はその長孔６２ｃに挿入された支持ケース６３側の案内部材６４と、軸部６２ｂが挿通された後壁６３ａとを介して、支持ケース６３内に前後方向に摺動自在に設けられ、支持ケース６３の前壁６３ｂとの間に介在されたバネ（付勢手段）６５により、後方の待機位置に付勢されている。
【００３０】
可動ラック６２は後方の待機位置ではその噛合部６２ａが歯車５８から後方に離脱しており、この待機位置から若干前進した位置で歯車５８と噛合して、その前進時に回転体３１を逆転させ、後退時に回転体３１を正転させるようになっている。可動ラック６２の後端の操作部６１は球払い出し手段２４の後端部近傍にあり、球払い出し手段２４よりも若干後方に突出している。
【００３１】
上記構成の弾球遊技機において、通常、球抜き手段３３は図５に示すように開閉板４６が操作レバー４８により閉状態でロックされており、球案内通路２８の遊技球は開閉板４６を介して回転体３１側へと案内されている。そして、球払い出し手段２４の回転体３１の上手側には、貯留タンク２２から球供給通路２３を経て球払い出し手段２４の球案内通路２８へと遊技球が充満した状態にある。また操作手段３４の可動ラック６２は、図４に示すように待機位置にある。
【００３２】
そこで、例えば賞球払い出し指令があれば、球払い出し手段２４の駆動モータ３２が作動して回転体３１が回転軸３０廻りにａ矢示方向（繰り出し方向）へと正転し、球案内通路２８側から繰り出し凹部４２に入った遊技球を、回転体３１の回転により払い出し通路３６側へと順次繰り出しながら、賞球払い出し指令に応じた個数の遊技球を賞球として払い出す。そして、払い出された遊技球は、払い出し通路３６から図外の通路を経て上皿９へと案内されて行く。
【００３３】
回転体３１よりも上手側の遊技球を抜き取る場合には、先ず操作レバー４８の操作部５６を図７（Ａ）のｂ矢示方向に操作し、操作レバー４８を横軸５４廻りにｂ矢示方向へと回動させる。するとロック用係合部５５ａが突起５０から離脱して、球抜き手段３３の開閉板４６が球案内通路２８側の遊技球の重量により図７（Ａ）のｃ矢示方向に揺動して球抜き孔４５を開放する。このため回転体３１よりも上手側の遊技球は、球抜き孔４５から球抜き通路３８を経て下方へと図７（Ａ）のｄ矢示方向に抜き取ることができる。
【００３４】
このとき開閉板４６は開用係合部５５ｂに係合して、図７（Ｂ）に示すように開状態に係止される。また図７（Ｂ）に示すように、回転体３１の繰り出し凹部４２には数個の遊技球が噛み込み状態にあり、これらの遊技球は回転体３１側に残る。
【００３５】
そこで、この噛み込み状態の遊技球を抜き取る場合には、操作手段３４を後方側から操作して回転体３１を逆方向（図７（Ｄ）のｅ矢示方向）に回転させて、その回転により球抜き孔４５を経て抜き取る。
【００３６】
即ち、可動ラック６２の後端側の操作部６１を前方へとｆ矢示方向に押圧すると、待機位置にある可動ラック６２が図７（Ｃ）に示すようにバネ４７に抗して前進して歯車５８と噛合する。そして、可動ラック６２が更に前進すると、歯車５８、回転軸３０を介して回転体３１がｅ矢示方向に逆転するので、繰り出し凹部４２内の遊技球が回転体３１の逆転に伴って図７（Ｄ）に示すように繰り出されて行く。
【００３７】
従って、操作手段３４の操作部６１を後方から手動操作することにより、回転体３１に噛み込み状態の遊技球を容易に抜き取ることができるため、従来の抜き取り方式に比較して、噛み込み状態にある遊技球の抜き取り作業の自由度が増大すると共に、その抜き取り時の制御負荷を軽減できる。
【００３８】
しかも球払い出し手段２４の側方に空間を確保することなく、必要に応じて容易に遊技球を抜き取ることができる。このため液晶表示手段１５の大型化に伴い、遊技盤６の裏側に装着された裏カバー１９が大型化して、裏カバー１９と球払い出し手段２４とが左右に接近し、その両者間に十分な空間を確保し難い傾向にあるが、このような場合にも遊技球の抜き取りが容易に可能である。換言すれば、裏カバー１９を球払い出し手段２４に接近させて配置することもできる。
【００３９】
操作部６１の押圧を解除すると、可動ラック６２がバネ４７により待機位置へと押し戻されて、回転体３１がａ矢示方向に回転して元の状態に戻る。従って、操作手段３４が待機位置にある場合には回転体３１側から離脱状態にあるため、回転体３１を操作手段３４の手動操作で回転させるようにしているにも拘わらず、回転体３１は円滑に回転することができる。また可動ラック６２を上側から歯車５８に対して噛合させているため、簡単な構造で回転体３１を逆転方向に回転させることができる。
【００４０】
図８は本発明の第２の実施例を例示する。この実施例でも、操作部材６０は可動ラック６２により構成されている。しかし、可動ラック６２は歯車５８の前側に上下方向に配置され、その長孔６２ｃに嵌合する２個のピン等から成る案内部材６４により払い出しケース２９の側壁４３に沿って上下方向に摺動自在に支持され、バネ６５により上昇位置である待機位置へと付勢されている。
【００４１】
可動ラック６２はその上端部に後方へと突出するアーム６７を有する。アーム６７は回転軸３０よりも後方へと球払い出し手段２４の後端近傍まで突出しており、その後端側が操作部６１となっている。バネ６５は引っ張り式であり、可動ラック６２とその上のバネ掛け部との間に設けられている。なお、バネ６５は圧縮式、つる巻き式でもよい。その他の構成は、第１の実施例と同じである。
【００４２】
この実施例では、回転体３１に噛み込み状態の遊技球を抜き取る場合には、アーム６７の後端の操作部６１を下方に押圧すると、可動ラック６２がバネ６７に抗して下方へと摺動し、噛合部６２ａを介して歯車５８を回転させる。このため第１の実施例と同様に回転体３１がｅ矢示方向へと逆転し、噛み込み状態の遊技球を球抜き手段３３側へと抜き取ることができる。
【００４３】
また可動ラック６２の操作部６１を下方に押圧操作する構造であるため、第１の実施例のように前方に押圧操作する場合に比較して、操作部６１を球払い出し手段２４により後方へと大きく突出させる必要がなく、操作手段３４が邪魔になるようなこともない。また可動ラック６２を前側から歯車５８に対して噛合させているため、簡単な構造で回転体３１を逆転方向に回転させることができる。
【００４４】
図９は本発明の第３の実施例を例示する。この実施例では、可動ラック６２は上部側に摺動部６２ｄを有し、その摺動部６２ｄが払い出しケース２９側の案内部材６８に上下方向に摺動自在に挿入されている。そして、案内部材６８と可動ラック６２の突起との間に、可動ラック６２を待機位置へと付勢するバネ６５が設けられている。また払い出しケース２９側の適当位置には、可動ラック６２を待機位置で規制するストッパー６９が設けられている。可動ラック６２の支持構造は、この実施例のようにしてもよい。その他の構成は、第２の実施例と略同一である。
【００４５】
図１０は本発明の第４の実施例を例示する。この実施例では、操作部材６０は扇形歯車７０により構成されている。扇形歯車７０は回転軸３０よりも後方側で横軸７１により払い出しケース２９の側壁４３に回動自在に枢支されており、その外周側の横軸７１を中心とする円弧上に、歯車５８と噛合可能な噛合部７０ａを有し、また後部側に後方側から押圧操作するための操作部６１を有する。扇形歯車７０の偏平部７０ｂには、扇形歯車７０を待機位置に付勢し弾性的に保持するバネ６５が当接されている。バネ６５は板バネ等から成り、その基部側が払い出しケース２９の側壁４３に固定されている。
【００４６】
この実施例では、操作部６１を前方へと押圧操作すると、扇形歯車７０が待機位置から横軸７１廻りにｇ矢示方向へと回動し、その噛合部７０ａが歯車５８に噛合するため、各実施例と同様に歯車５８、回転軸３０を介して回転体３１がｅ矢示方向へと回転して、噛み込み状態の遊技球を抜き取ることができる。また操作部材６０を扇形歯車７０とし、その噛合部７０ａ側の後端に操作部６１を設けているため、全体を小型化できる。
【００４７】
図１１は本発明の第５の実施例を例示する。この実施例では、合成樹脂製のＬ字状、Ｕ字状等のバネ６５を使用し、このバネ６５で扇形歯車７０を待機位置に付勢し弾性的に保持するようにしている。バネ６５はその一方が長い弾性部６５ａとなっており、その弾性部６５ａが扇形歯車７０の偏平部７０ｂに当接している。バネ６５は一体に取り付け部６５ｂを有し、その取り付け部６５ｂが払い出しケース２９の側壁４３に固定されている。このようなバネ６５を使用してもよい。
【００４８】
図１２は本発明の第６の実施例を例示する。この実施例では、扇形歯車７０にレバー７２が設けられ、そのレバー７２の遊端側が操作部６１となっている。このレバー７２とその上側のバネ掛け部との間に、扇形歯車７０を待機位置へと付勢するバネ６５が設けられている。７３は扇形歯車７０を待機位置で規制するストッパーである。このようにすれば、レバー７２の遊端側の操作部６１に操作力が加わるため、軽い操作力で回転体３１を回転させることができる。
【００４９】
以上、本発明の各実施例について詳述したが、本発明は各実施例に限定されるものではなく、本発明の趣旨を逸脱しない範囲内で種々の変更が可能である。例えば、球払い出し手段２４は回転体３１の外周に繰り出し凹部４２を備えたものの他、スクリュー式のものでもよい。
【００５０】
また各実施例の操作手段３４は、その直線運動、回動運動（又は回転運動）する操作部材６０に、回転軸３０側の歯車５８に係脱自在に噛合する噛合部６２ａ，７０ａを設け、この操作部材６０の回転軸３０よりも後方側で球払い出し手段２４の後端部近傍に操作部６１を設けているが、操作部６１が球払い出し手段２４の後部側、取り分け後端部近傍に位置する機構であれば、操作部材６０は他の構成を採用してもよい。
【００５１】
例えば、操作手段３４として、操作部材６０を横軸廻りに揺動自在に設け、この操作部材６０を複数回操作することにより、ラチェット機構、回転軸３０を介して回転体３１を所定角度逆転させるようにしてもよい。その場合には回転軸３０にラチェット歯車を、操作部材６０側にラチェット爪を夫々設け、そのラチェット爪をラチェット歯車に対して係脱自在にしておけばよい。
【００５２】
また操作手段３４は操作レバー４８側に設けることも可能である。その場合には、裏カバー１９等の障害物が近傍にないので、操作部６１は球払い出し手段２４の後部側に設けなくても容易に操作することができる。
【００５３】
操作手段３４は操作部材６０と回転軸３０側との間の摩擦力で回転体３１を回転させるようにしてもよい。可動ラック６２は、前後方向又は上下方向に移動自在に設ける他、斜め方向に設けてもよい。また可動ラック６２は回転軸３０の歯車５８に直接噛合させてもよいし、可動ラック６２を回転軸３０の後側又は下側に配置して、回転軸３０の歯車５８との間に中間歯車を設けてもよい。
【００５４】
可動ラック６２を上下方向に設ける場合、その操作部６１は実施例のように上端側でもよいし、下端側でもよい。また図８の実施例の可動ラック６２は上下を反転させて設けてもよい。遊技球の回収に際しては、回転体３１を逆転させて噛み込み状態の遊技球を抜き取ることが望ましいが、球払い出し手段２４の点検等で遊技球を抜き取る場合には、回転体３１を正転方向に回転させてもよい。またパチンコ機以外の各種の弾球遊技機においても同様に実施可能である。
【図面の簡単な説明】
【００５５】
【図１】本発明の第１の実施形態を示すパチンコ機の正面図である。
【図２】本発明の第１の実施形態を示すパチンコ機の背面図である。
【図３】本発明の第１の実施形態を示す球払い出し手段の背面断面図である。
【図４】本発明の第１の実施形態を示す操作手段の側面断面図である。
【図５】本発明の第１の実施形態を示す球払い出し手段の側面断面図である。
【図６】本発明の第１の実施形態を示す球払い出し手段の平面断面図である。
【図７】本発明の第１の実施形態を示す作用説明図である。
【図８】本発明の第２の実施形態を示す操作手段の側面断面図である。
【図９】本発明の第３の実施形態を示す操作手段の側面断面図である。
【図１０】本発明の第４の実施形態を示す操作手段の側面断面図である。
【図１１】本発明の第５の実施形態を示す操作手段の側面断面図である。
【図１２】本発明の第６の実施形態を示す操作手段の側面断面図である。
【符号の説明】
【００５６】
２４  球払い出し手段
２９  払い出しケース
３０  回転軸
３１  回転体
３２  駆動手段
３４  操作手段
５８  歯車
６０  操作部材
６１  操作部
６５  バネ（付勢手段）
７１  横軸
【図１】
0004522959.tif 000002
【図２】
0004522959.tif 000003
【図３】
0004522959.tif 000004
【図４】
0004522959.tif 000005
【図５】
0004522959.tif 000006
【図６】
0004522959.tif 000007
【図７】
0004522959.tif 000008
【図８】
0004522959.tif 000009
【図９】
0004522959.tif 000010
【図１０】
0004522959.tif 000011
【図１１】
0004522959.tif 000012
【図１２】
0004522959.tif 000013